(57)【要約】      （修正有）【課題】天秤を用いて幅広鋼板の４点吊り作業の後に他の吊り作業を行う必要が生じた際にも天秤を取り外すことなく吊り作業を行える吊り装置を提供する。【解決手段】本体板の下端から内面側に向けて突出するハッカー爪を有すると共に、本体板の背面側にはワイヤロープスリングを掛けることができるフックを備えた吊り装置１であり、この吊り装置を対で用いてハッカー爪が互いに内向きとなるようにしてクレーンフック６に天秤７を介して取り付け、ハッカー爪を用いて幅広鋼板Ｗ１を４点吊りで吊り上げ・運搬する。幅狭の鋼板や丸棒状ワークなどの他のワークを吊り上げるときは、背面側のフックに掛け渡したスリング材を用いて吊り作業を行うことができ、その際に天秤を取り外す必要が無く、作業効率が向上する。【選択図】図３
0003154099.tif 000002
【実用新案登録請求の範囲】
【請求項１】
本体板の下端から内面側に向けて突出するハッカー爪を有すると共に、本体板の背面側にはスリング材を掛けることができる金具を備えてなる吊り装置であって、この吊り装置を対で用いてハッカー爪が互いに内向きとなるようにしてクレーンフックに天秤を介して取り付け、ハッカー爪を用いて鋼板を吊り上げ・運搬する第１の用法と、背面側の金具に掛け渡したスリング材を用いてワークを吊り上げ・運搬する第２の用法とに兼用可能にしたことを特徴とする吊り装置。
【請求項２】
前記背面側の金具が略鉤状または略Ｕ字状のフックであることを特徴とする請求項１記載の吊り装置。
【請求項３】
前記フックが前記本体板の背面側に溶接固定されていることを特徴とする請求項２記載の吊り装置。
【請求項４】
前記フックが、前記本体板の背面側に溶接固定された部材に回動自在に取り付けられていることを特徴とする請求項２記載の吊り装置。
【請求項５】
前記背面側の金具がスリング材を通す略リング状の金具であることを特徴とする請求項１記載の吊り装置。
【考案の詳細な説明】
【技術分野】
【０００１】
本考案は吊り装置に関し、より詳しくは、幅を問わずに鋼板の吊り上げ・運搬に適用可能であり、さらに他の用途にも適用可能な新規な構成の吊り装置に関する。
【背景技術】
【０００２】
幅広の鋼板を吊り上げ・運搬する場合は、ハッカーと呼ばれる吊り装置を用いて４点吊りで行うのが通常である。すなわち、特許文献１に示されるように、クレーンフックに長尺材（天秤と呼ばれる）を吊下し、この天秤の長手方向両端近くにそれぞれ一対のワイヤロープスリングなどのスリング材を掛け、各スリング材の下端にシャックルを介してハッカーを連結する。このとき、ハッカー下端の爪（フック）を内向きにして鋼板の幅方向両側において互いに対向するようにし、各対のハッカー爪を幅方向両側から底面に回して鋼板の４隅近くで支持することによって安定した状態で吊り上げ・運搬を行うようにしている。
【０００３】
クレーンフックに直接４本のスリング材を掛けると、スリング材に大きな吊り角度がついてしまい、スリング材への張力が大きくなる（４５度傾斜で吊ると１．１４倍、６０度傾斜で吊ると２倍の張力がかかる）。また、吊り角度が大きくなると、スリング材の下端に連結されて鋼板を吊り上げているハッカーが長さ方向センターに向けて移動する滑りが生じやすくなり、その結果として鋼板が傾いて落下事故につながる恐れがある。このため、４点吊りの場合には通常天秤を用いて吊り角度が過度に大きくならないようにしている。
【先行技術文献】
【特許文献】
【０００４】
【特許文献１】特開２００３−３０６２９１号公報
【考案の概要】
【考案が解決しようとする課題】
【０００５】
従来のハッカーを用いた吊り上げ・運搬は幅広の鋼板を対象とする場合には有効であるが、極端に幅の狭い鋼板を吊り上げようとすると、鋼板の両端に対で用いたハッカーの爪先端同士が干渉してしまう場合がある。このような場合にはハッカーを別の吊り装置に代えて使用する必要がある。また、鋼板以外のワーク、たとえば丸棒状に加工された製品などを吊り上げようとする場合にも、ハッカーに代えて別の吊り装置を用いなければならない。
【０００６】
ところが、ハッカーを用いて幅広鋼板を４点吊りで吊り上げ・運搬する場合には通常天秤が使用されているため、ハッカーを別の吊り装置に交換する場合はクレーンフックから天秤一式を外した後に、他のスリング材をクレーンフックに掛けて作業を行わなければならず、作業効率が著しく低下していた。
【０００７】
したがって、本考案が解決しようとする課題は、天秤を用いて幅広鋼板の４点吊り作業の後に他の吊り作業を行う必要が生じた際にも天秤を取り外すことなく吊り作業を行えるようにして作業効率の向上を図ることを可能にした新規の構成を提供することにある。
【課題を解決するための手段】
【０００８】
この課題を達成するため、請求項１に係る本考案は、本体板の下端から内面側に向けて突出するハッカー爪を有すると共に、本体板の背面側にはスリング材を掛けることができる金具を備えてなる吊り装置であって、この吊り装置を対で用いてハッカー爪が互いに内向きとなるようにしてクレーンフックに天秤を介して取り付け、ハッカー爪を用いて鋼板を吊り上げ・運搬する第１の用法と、背面側の金具に掛け渡したスリング材を用いてワークを吊り上げ・運搬する第２の用法とに兼用可能にしたことを特徴とする。
【０００９】
請求項２に係る本考案は、請求項１記載の吊り装置において、前記背面側の金具が略鉤状または略Ｕ字状のフックであることを特徴とする。
【００１０】
請求項３に係る本考案は、請求項２記載の吊り装置において、前記フックが前記本体板の背面側に溶接固定されていることを特徴とする。
【００１１】
請求項４に係る本考案は、請求項２記載の吊り装置において、前記フックが、前記本体板の背面側に溶接固定された部材に回動自在に取り付けられていることを特徴とする。
【００１２】
請求項５に係る本考案は、請求項１記載の吊り装置において、前記背面側の金具がスリング材を通す略リング状の金具であることを特徴とする。
【考案の効果】
【００１３】
本考案によれば、内向きのハッカー爪を用いて従来技術と同様に鋼板を吊り上げ・運搬することができると共に、外向きの金具を用いてワークの吊り上げ・運搬を行うことができるように構成されているので、クレーンフックに天秤を介して比較的幅広の鋼板を４点吊りで吊り作業を行った後に他のワーク、たとえば幅狭の鋼板や丸棒状のワークを吊り上げる必要が生じたときにも、天秤を外すことなくそのままの状態で外向きの金具を用いた吊り作業を行うことができ、作業効率が向上する。
【図面の簡単な説明】
【００１４】
【図１】本考案の一実施形態による吊り装置の斜視図である。
【図２】この吊り装置の側面図（Ａ）および背面図（Ｂ）である。
【図３】この吊り装置を用いて幅広の鋼板を４点吊りするときの用例を示す説明図である。
【図４】この吊り装置を用いて幅狭の鋼板を吊り上げるときの用例を示す説明図である。
【図５】この吊り装置を用いて丸棒状のワークを吊り上げるときの用例を示す説明図である。
【図６】この吊り装置の変形例を示す側面図（Ａ）および背面図（Ｂ）である。
【図７】この吊り装置の他の変形例を示す側面図（Ａ）および背面図（Ｂ）である。
【図８】この吊り装置の他の変形例を示す側面図（Ａ）および背面図（Ｂ）である。
【図９】この吊り装置の他の変形例を示す側面図（Ａ）および背面図（Ｂ）である。
【考案を実施するための形態】
【００１５】
図１および図２は本考案の一実施形態による吊り装置を示す。この吊り装置１は、下端にハッカー爪２が内向きに折り曲げ形成されると共に上端に吊り穴３が形成された本体板４を有する。この本体板４は従来公知のハッカーと実質的に同じ形状および構成を有するものである。
【００１６】
本考案の吊り装置１は、本体板４の背面側に外向きのフック５が設けられている点に特徴がある。フック５は、側面視略鉤状を有するフック本体５１と、フック本体５１の上端突起部５１ａに軸ピン５２で回動自在に設けられる外れ止め５３とを有して構成され、フック本体５１を本体板４の外面に溶接することにより一体的に固着されている。外れ止め５３は、フック本体上端部との間に架けられたスプリング５４により、フック本体先端５１ｂの内面に係合させる方向に常に回転付勢されている。
【００１７】
この吊り装置１は、従来公知のハッカーと同様にして比較的幅広の鋼板を吊り上げ・運搬するために使用することができる。このときの用例が図３に示されており、クレーンフック６に吊下した天秤７の長手方向両端近くにそれぞれ一対のワイヤロープスリング８，８を掛け、その下端にシャックル９，９を介して吊り装置１，１を吊り穴３を用いて吊下し、対向する各一対の吊り装置１，１のハッカー爪２，２で鋼板Ｗ１を支持して４点吊りで吊り上げている。鋼板Ｗ１の長さに見合った長さの天秤７を使用することで、ワイヤロープスリング８，８の吊り角度が比較的小さくなるので、ワイヤロープスリング８，８に掛かる張力を小さくすることができ、また、吊り装置１，１が長手方向センターに向けて移動する滑りの発生を防止して、安定した吊り作業を行うことができる。
【００１８】
本考案によれば、クレーフック６に天秤７、ワイヤロープスリング８，８、シャックル９，９および吊り装置１，１を吊り下げた状態のまま、言い換えれば天秤７などをクレーフック６から取り外す必要なしに、吊り装置１，１の背面側に設けられている外向きのフック５，５にワイヤロープスリング１０，１０を掛けて、別のワークを吊り上げることができる。図４は幅狭の鋼板Ｗ２を吊り上げるときの用例を示し、図５は丸棒状のワークを吊り上げるときの用例を示す。天秤７などを取り外す必要なしに、外向きのフック５，５を用いて幅狭の鋼板Ｗ２や丸棒状ワークＷ３などを吊り上げることができるので、作業効率が向上する。
【００１９】
図６はこの吊り装置の一変形例を示し、本体板４の外面に溶接固定された取付部材１１に、連結ピン１２を介して、外れ止め１３付のフック１４が外向きに回動自在に取り付けられている。
【００２０】
図７はこの吊り装置の他の変形例を示し、本体板４の外面にＵ字状（Ｊ字状）のフック１５が外向きに溶接固定されている。
【００２１】
図８はこの吊り装置のさらに他の変形例を示し、本体板４の外面に溶接固定された取付板１６の連結体1７にベルトスリング用金具１８が回動自在に取り付けられている。
【００２２】
図９はこの吊り装置のさらに他の変形例を示し、本体板の外面に溶接固定された一対の取付部材１９，１９にボルト２０を架け渡し、このボルト２０にマスターリンク２１が吊り下げられている。
【００２３】
これら図６〜図９に示す変形例による吊り装置においても、対向するハッカー爪２，２で従来公知のハッカーと同様にして鋼板Ｗ１を吊り上げることができる（図３参照）と共に、天秤７などを取り外す必要なくそのままの状態で、本体板４の背面側に設けられた金具（フック１４，フック１５，ベルトスリング用金具１８，マスターリンク２１）を用いて幅狭の鋼板Ｗ２や丸棒状ワークＷ３などの他のワークを吊り上げることにも兼用することができる（図４および図５参照）。図８および図９に示す変形例の場合は、ワイヤロープスリング１０，１０に代えてベルトスリングを用い、ベルトスリング用金具１８またはマスターリンク２１に通して使用する。
【符号の説明】
【００２４】
１  吊り装置
２  ハッカー爪
３  吊り穴
４  本体板
５  フック
５１  フック本体
５２  軸ピン
５３  外れ止め
５４  スプリング
６  クレーンフック
７  天秤
８  ワイヤロープスリング
９  シャックル
１０  ワイヤロープスリング
１１  取付部材
１２  連結ピン
１３  外れ止め
１４  フック
１５  フック
１６  取付板
１７  連結体
１８  ベルトスリング用金具
１９  取付部材
２０  ボルト
２１  マスターリンク
【図１】
0003154099.tif 000003
【図２】
0003154099.tif 000004
【図３】
0003154099.tif 000005
【図４】
0003154099.tif 000006
【図５】
0003154099.tif 000007
【図６】
0003154099.tif 000008
【図７】
0003154099.tif 000009
【図８】
0003154099.tif 000010
【図９】
0003154099.tif 000011